(57)【要約】  複数のＵＥ及びアドバンスト基地局を含むマルチユーザ重畳送信（ＭＵＳＴ）をサポートするアドバンスト無線通信システム、及びその使用の方法が開示される。本方法は、ＭＵＳＴ−ＵＥから、ＭＵＳＴ受信機方式を受信し、受信されたＭＵＳＴ受信機方式及びＭＵＳＴ送信技術に従って、第２ダウンリンク制御情報の基準サイズを決定し、前記ＭＵＳＴ送信技術を含むＭＵＳＴ設定に応じて動作するようにＭＵＳＴ−ＵＥを設定し、前記ＭＵＳＴ−ＵＥに、ＭＵＳＴが使用されることを示す指示を含む第１ダウンリンク制御情報、決定された基準サイズに応じた支援情報を含む第２ダウンリンク制御情報、及びＭＵＳＴ送信技術に従って、関連付けけられたＤＬ共有チャネル上でＭＵＳＴ複合データ信号、を送信することを含む。【選択図】図２
2019527510.tif 000002
【特許請求の範囲】
【請求項１】
マルチユーザ重畳送信（ＭＵＳＴ：Multi-User Superposition Transmission）をサポートするアドバンストセルラ無線通信システムにおいて使用されるデータ通信方法であって、
ＭＵＳＴ−ＵＥから、ＭＵＳＴ受信機方式を受信することと、
前記受信されたＭＵＳＴ受信機方式及びＭＵＳＴ送信技術に従って、第２ダウンリンク制御情報の基準サイズを決定することと、
前記ＭＵＳＴ送信技術を含むＭＵＳＴ設定に応じて動作するように前記ＭＵＳＴ−ＵＥを設定することと、
前記ＭＵＳＴ−ＵＥに、
ＭＵＳＴが使用されることを示す指示を含む第１ダウンリンク制御情報、
前記決定された基準サイズに応じた支援情報を含む第２ダウンリンク制御情報、及び
前記ＭＵＳＴ送信技術に従って、関連付けけられたＤＬ共有チャネル上でＭＵＳＴ複合データ信号を送信することと、を含む方法。
【請求項２】
ＭＵＳＴ送信が使用されることを決定することをさらに含み、前記第２ダウンリンク制御情報及び前記ＭＵＳＴ複合データ信号は、前記決定に応答して送信される、請求項１に記載の方法。
【請求項３】
前記第１ダウンリンク制御情報は、サブフレーム単位で非ＭＵＳＴ信号送受信とＭＵＳＴ複合信号送受信との間の動的な切り替えを可能にする、請求項１に記載の方法。
【請求項４】
前記ＭＵＳＴ設定は、第２ダウンリンク制御情報のためのサーチスペーススケジューリング情報を含む、請求項１に記載の方法。
【請求項５】
前記ＭＵＳＴ設定は、アクティベーション時間に関連付けられ、前記第１ダウンリンク制御情報、前記第２ダウンリンク制御情報、及び前記ＭＵＳＴ複合データ信号は、前記アクティベーション時間以降に送信される、請求項１に記載の方法。
【請求項６】
前記ＭＵＳＴ設定は、無線リソース制御（ＲＲＣ：Radio Resource Control）シグナリングを使用して提供される、請求項１に記載の方法。
【請求項７】
前記ＭＵＳＴ設定は、前記ＭＵＳＴ−ＵＥが第２ダウンリンク制御情報を検索する可能性がある、予めスケジューリングされた制御サーチスペースの開始を前記ＭＵＳＴ−ＵＥに通知するために、オフセット情報要素（ＩＥ：information element）を含む、請求項１に記載の方法。
【請求項８】
前記ＭＵＳＴ設定は、前記ＭＵＳＴ−ＵＥが前記第２ダウンリンク制御情報の復号のためのＣＣＥを抽出することができる開始ＣＣＥを前記ＭＵＳＴ−ＵＥに通知するために、制御チャネルエレメントオフセットＩＥを含む、請求項１に記載の方法。
【請求項９】
前記ＭＵＳＴ設定は、前記ＭＵＳＴ−ＵＥが前記第２ダウンリンク制御情報のためのブラインドデコーディングを実行する必要があるか否かを前記ＭＵＳＴ−ＵＥに通知するために、ブラインドデコーディングＩＥを含む、請求項１に記載の方法。
【請求項１０】
前記ＭＵＳＴ設定は、前記第２ダウンリンク制御情報のためのブラインドデコーディングに使用されるＣＣＥの数の上限及び下限をそれぞれ示す、上限ＣＣＥアグリゲーションレベルＩＥ及び下限ＣＣＥアグリゲーションレベルＩＥを含む、請求項１に記載の方法。
【請求項１１】
第１ダウンリンク制御情報は、拡張された３ＧＰＰ  ＬＴＥレガシーＤＣＩを含み、ＭＵＳＴが使用されているか否かを示す動的切り替えインジケータフィールド、及び第２ダウンリンク制御情報の基準サイズに応じた前記第２ダウンリンク制御情報のサイズ分散を示すための、関連付けられたダウンリンク制御情報インデックスフィールドをさらに含む、請求項１に記載の方法。
【請求項１２】
サブフレームにおいて、チャネル状態がＭＵＳＴ複合信号送信に適していないことを決定することと、
前記ＭＵＳＴ−ＵＥに、ＭＵＳＴが使用されないことを示す指示を含む第１ダウンリンク制御情報、及び関連付けられたＤＬ共有チャネルにおける非ＭＵＳＴデータ信号を送信することと、をさらに含む、請求項１に記載の方法。
【請求項１３】
前記第２ダウンリンク制御情報は、前記第１ダウンリンク制御情報を入力として使用して符号化される、請求項１に記載の方法。
【請求項１４】
前記第２ダウンリンク制御情報は、巡回冗長検査（ＣＲＣ：cyclic redundancy check）符号化のためのペイロードを形成するために、前記第１ダウンリンク制御情報を前記第２ダウンリンク制御情報と連結することによって符号化される、請求項１３に記載の方法。
【請求項１５】
前記ＣＲＣ符号化されたペイロードは、前記ＭＵＳＴ  ＵＥの識別子によりスクランブルされる、請求項１４に記載の方法。
【請求項１６】
前記スクランブルされたＣＲＣ符号化されたペイロードは、前記第２ダウンリンク制御情報と連結される、請求項１５に記載の方法。
【請求項１７】
マルチユーザ重畳送信（ＭＵＳＴ：Multi-User Superposition Transmission）をサポートするアドバンストセルラ無線通信システムにおいて使用されるデータ通信方法であって、
ＭＵＳＴ基地局にＭＵＳＴ受信機方式を報告することと、
前記ＭＵＳＴ基地局からＭＵＳＴ送信技術を含むＭＵＳＴ設定データを受信することと、
前記ＭＵＳＴ送信技術及びＭＵＳＴ受信機方式に従って、第２ダウンリンク制御情報の基準サイズを決定することと、
前記ＭＵＳＴ基地局から、
ＭＵＳＴが使用されることを示す指示を含む第１ダウンリンク制御情報、
前記決定された基準サイズに応じた支援情報を含む第２ダウンリンク制御情報、及び
前記ＭＵＳＴ送信技術に従って、関連付けけられたＤＬ共有チャネル上でＭＵＳＴ複合データ信号を受信することと、を含むデータ通信方法。
【請求項１８】
前記ＭＵＳＴ受信機方式は、前記関連付けられたＭＵＳＴ−ＵＥのネットワーク登録又はネットワークアタッチ段階で報告される、請求項１７に記載の方法。
【請求項１９】
前記ＭＵＳＴ基地局から、
ＭＵＳＴが使用されないことを示す指示を含む第１ダウンリンク制御情報と、
関連付けられたＤＬ共有チャネル上で非ＭＵＳＴデータ信号と、
を受信することをさらに含む、請求項１７に記載の方法。
【請求項２０】
前記第１ダウンリンク制御情報は、ＭＵＳＴが使用されることを示す動的切り替えインジケータフィールド、及び第２ダウンリンク制御情報の前記基準サイズに応じた前記第２ダウンリンク制御情報のサイズを示す、関連付けられたダウンリンク制御情報インデックスフィールドを含む、請求項１７に記載の方法。
【請求項２１】
前記ＭＵＳＴ設定に応じて制御チャネルエレメント（ＣＣＥ：control channel element）を抽出することと、前記ＣＣＥから前記第２ダウンリンク制御情報を復号することと、をさらに含む、請求項１７に記載の方法。
【請求項２２】
前記ＭＵＳＴ設定は、ブラインドデコーディングが要求されないことを示すブラインドデコーディングＩＥを含み、当該ブラインドデコーディングＩＥに応答して前記第２ダウンリンク制御情報のための前記抽出されたＣＣＥに対して１回限りの復号が行われる、請求項２１に記載の方法。
【請求項２３】
前記ＭＵＳＴ設定は、ブラインドデコーディングが要求されることを示すブラインドデコーディングＩＥを含み、当該ブラインドデコーディングＩＥに応答して前記第２ダウンリンク制御情報のための前記抽出されたＣＣＥに対してブラインドデコーディングが行われる、請求項２１に記載の方法。
【請求項２４】
前記ＭＵＳＴ設定は、前記第２ダウンリンク制御情報を復号するために要求されるブラインドデコーディングの試行の最大回数を定義する、請求項２１に記載の方法。
【請求項２５】
アドバンスト無線通信システムであって、
少なくとも１つのＭＵＳＴ−ＵＥを含む複数のＵＥと、
アドバンスト基地局と、を備え、
前記アドバンスト基地局は、
前記ＭＵＳＴ−ＵＥから、ＭＵＳＴ受信機方式を受信し、
前記受信されたＭＵＳＴ受信機方式及びＭＵＳＴ送信技術に従って、第２ダウンリンク制御情報の基準サイズを決定し、
前記ＭＵＳＴ送信技術を含むＭＵＳＴ設定に応じて動作するように前記ＭＵＳＴ−ＵＥを設定し、
前記ＭＵＳＴ−ＵＥに、
ＭＵＳＴが使用されることを示す指示を含む第１ダウンリンク制御情報、
前記決定された基準サイズに応じた支援情報を含む第２ダウンリンク制御情報、及び
前記ＭＵＳＴ送信技術に従って、関連付けけられたＤＬ共有チャネル上でＭＵＳＴ複合データ信号を送信するように構成されている、無線通信システム。
【発明の詳細な説明】
【技術分野】
【０００１】
本発明は、無線データ通信に関する。具体的には、本発明はデータのマルチユーザ重畳送信（ＭＵＳＴ：Multi User Superposition Transmission）に関する。
【背景技術】
【０００２】
＜略語＞
【表１】
2019527510.tif 000003
【表２】
2019527510.tif 000004
【０００３】
モバイルトラフィックは今後数年間に大幅に増加すると予想され、モバイルトラフィックは今後の１０年間で５００倍よりも多く増加すると予測される。モバイルトラフィックのこの大規模な増加に対応するためには、モバイルネットワークの容量を増やす新しいソリューションが必要である。
【０００４】
セルラ通信のシステム容量を向上させる重要な側面は、費用対効果の高い無線アクセス技術（ＲＡＴ）の設計である。典型的には、ＲＡＴは、周波数分割多重接続（ＦＤＭＡ）、時分割多重接続（ＴＤＭＡ）、符号分割多重接続（ＣＤＭＡ）および直交周波数分割多重接続（ＯＦＤＭＡ）のような複数のアクセス方式によって特徴付けられる。上記のそれぞれは、複数のユーザがシステムリソースに同時にアクセスおよび共有するための手段を提供する。
【０００５】
ロングタームエボリューション（ＬＴＥ）及びＬＴＥアドバンストテクノロジのような現在の移動通信システムは、ダウンリンク（ＤＬ）に対してＯＦＤＭＡ及びアップリンク（ＵＬ）に対してシングルキャリア（ＳＣ）−ＦＤＭＡを採用している。ＬＴＥにおけるＯＦＤＭＡの使用は、比較的シンプルな受信機設計を維持しながら、比較的良好なシステム容量を可能にする。技術的には、より高度な受信機設計は、より高い送信レートを可能にし、したがって、チャネル当たり（つまり、時間−周波数単位）のビットレートの向上、スペクトラム効率又はスペクトラム利用を高める。
【０００６】
高度な干渉キャンセレーションと共に、重畳符号化送信は、ガウシアンブロードキャストチャネル（Gaussian broadcast channel）において容量を達成するために使用することができる。重畳符号化（Superposition coding）は、空間的分離を必要とせずに、大幅に異なる、信号対干渉雑音比（ＳＩＮＲ：Signal to Interference and Noise ratio）により、複数のユーザが同一リソース（つまり、ＬＴＥのＲＥ等の時間及び周波数リソース）を共有することを可能にする非直交方式である。その容量を達成する性質上、重畳符号化メカニズムは、３ＧＰＰ ５Ｇネットワークの新しいエアインタフェースのための候補となるＲＡＴとして識別され、３ＧＰＰ ＲＡＮのフィージビリティスタディ（feasibility studies）のために推奨されている。原則として、重畳符号化又はマルチユーザ重畳送信（ＭＵＳＴ：multiuser superposition transmission）は、同一の送信ポイントによりサービスされるペアとなるユーザのチャネル順序又はパスロス差を最適に利用され得る。
【０００７】
図１に示すように、地理的に基地局に近いＵＥ１は、地理的に基地局から離れたＵＥ２よりも高いチャネル利得又は高いＳＩＮＲを有する。このように、基地局から遠いＵＥ（far-UE）（ＵＥ２）において復号することが出来るダウンリンク送信は、基地局に近いＵＥ(near-UE)（ＵＥ１）において復号することが出来るが、その逆は出来ない。概念的には、高いパスロスを考慮するため、基地局から遠いＵＥへのＤＬ送信電力は、基地局に近いＵＥへのＤＬ送信電力よりもかなり高い。
【０００８】
ＭＵＳＴは、相当な送信電力差の利用し、（低い送信電力である）基地局に近いＵＥのためのダウンリンク送信を、（高い送信電力である）基地局から遠いＵＥのためのダウンリンク送信と重畳し、チャネルリソースの同一セットにおいて重畳又は合成された信号を送信することで、電力領域における多重アクセス利得を達成する。
【０００９】
送信電力差により、基地局に近いＵＥ（ＵＥ１）の信号は、基地局から遠いＵＥ（ＵＥ２）に、ほとんど到達せず、基地局から遠いＵＥ（ＵＥ２）において雑音として現れることが望ましい。これは、基地局から遠いＵＥ（ＵＥ２）が、その信号を従来の方法により復号することを許容する。基地局に近いＵＥ（ＵＥ１）は、高いチャネル利得を有しているので、基地局に近いＵＥは、基地局から遠いＵＥの信号を受信し、復号することができ、自身の信号を復号するために、受信された信号から、基地局から遠いＵＥの信号を取消又は除去することが出来る。基地局に近いＵＥにおける、この手順は、連続復号又は連続干渉キャンセル（ＳＩＣ：successive decoding or successive interference cancellation）と呼ばれる。
【００１０】
基地局から遠いＵＥ（far-UE）からの信号をキャンセルするか又は除去する、あるいは基地局から遠いＵＥ（far-UE）信号の存在と共に基地局に近いＵＥ（near-UE）の信号を共同して検出及び復号するために、基地局に近いＵＥは、基地局から遠いＵＥの信号に関するいくつかの情報を知る必要がある。３ＧＰＰ ＬＴＥによれば、基地局から遠いＵＥの信号情報は、ダウンリンク制御情報（ＤＣＩ：downlink control information）として基地局から送信され得る。
【００１１】
近年、３ＧＰＰ ＲＡＮ−ＷＧ１は、３つの可能性のあるＭＵＳＴカテゴリ１、２及び３の推奨と、最大確度（ＭＬ：maximum likelihood）受信機、複雑性が低減された最大確度（Ｒ−ＭＬ：reduced complexity maximum likelihood）受信機、シンボルレベル干渉キャンセル（ＳＬＩＣ：symbol level interference cancellation）受信機、線形コードワードレベル連続干渉キャンセル（Ｌ−ＣＷＩＣ：linear codeword level successive interference cancellation）受信機、及び最大確度コードワードレベル連続干渉キャンセル（ＭＬ−ＣＷＩＣ：maximum likelihood codeword level successive interference cancellation）受信機を含む、近くのＵＥのための候補となる受信機方式（scheme）の推奨と、共にＭＵＳＴに関するフィージビリティスタディを結論づけた。
【００１２】
技術的には、上記の推奨されたＭＵＳＴカテゴリのそれぞれは、基地局（ｅＮＢ）の実装に依存した、独自の長所及び短所と、柔軟性とを有している。そのため、宣言された実装オプションとして使用するために、１又は複数の、もしくは１又は全ての上述したＭＵＳＴカテゴリが３ＧＰＰ ＲＡＮにより承認され得る。
【００１３】
さらに、受信機方式は、一般的に、ＵＥ製造者により異なり、受信機方式は一般的に３ＧＰＰにより規定されていない。そのため、受信機の方式は、特別なサービス、追加的な情報、ＵＥ受信機におけるアドバンスト信号の受信及び／又は復号を支援するシグナリングに対して、サービシング基地局（servicing base station）（ｅＮＢ）によって認識されておらず、基地局に近いＵＥにおいてＭＵＳＴ信号の適切な受信、検出及び復号を妨げる可能性がある。
【００１４】
ＵＥ受信機の進化を可能にするために、複数のＵＥの受信機方式が同一のサービシングセル／ＢＳにおいて共存することを可能にすることが望ましい。さらに、基地局に近いＵＥの受信機方式とは独立に、ＢＳにおいて異なるＭＵＳＴカテゴリをサポートすることが望ましい。
【００１５】
さらに、基地局から遠いＵＥ、及びペアになった基地局に近いＵＥによって異なるダウンリンクデータサービスが要求されるので、ＭＵＳＴデータ信号は、一般に、全てのスケジューリングされたダウンリンクサブフレームにおいて送信される必要はない。
【発明の概要】
【発明が解決しようとする課題】
【００１６】
しかしながら、上述した所望する柔軟性のいくつか又は全てを含むシステムを提供するためには課題が存在する。例えば、既存のＬＴＥシステムは、現在利用可能なＤＣＩフォーマットを使用したダウンリンクデータ送信にＭＵＳＴをサポートすることができる。具体的には、基地局に近いＵＥは、関連付けられた共有チャネルにおいてＭＵＳＴデータ信号の受信及び復号のための情報を抽出又は導出するために、自身のＤＣＩ及び、それとペアになるようにスケジューリングされる、基地局から遠いＵＥ用のＤＣＩをブラインド検出及び復号を行う。
【００１７】
先行技術のこのアプローチに伴う１つの問題は、基地局に近いＵＥの受信機における全ての監視対象のサブフレームに対するブラインドデコーディングが大量のリソースを必要とすることである。具体的には、サブフレーム上で１つの基地局に近いＵＥとペアになるようにスケジューリングされる、１よりも多くの基地局から遠いＵＥが存在する可能性があるため、基地局に近いＵＥにおいて比較的多数のブラインドデコーディングの試行が必要となり得る。
【００１８】
このアプローチに伴う他の問題は、必要とされるＤＣＩのセットの中に、対象のＤＣＩの検出ミス及び／又は誤検出がさらなる性能低下につながる可能性があることである。
【００１９】
このアプローチに伴う他の問題は、あるＵＥが、他のＵＥのデータチャネルの受信及び復号のための当該他のＵＥのＤＣＩを抽出できてしまう可能性があり、それは望ましくない。
【００２０】
一般に、全ての可能な支援情報（assistant information）から構成される固定サイズの、新規のＤＣＩフォーマットを提供することは望ましくない。具体的には、支援情報は、一部のＵＥ受信機に部分的に使用されるかもしれないし、全く使用されないこともあり得るため、したがって、このアプローチは既に不足しているＬ１制御リソースを浪費してしまう。
【００２１】
したがって、アドバンスト無線ネットワークにおけるデータ通信のための改良された方法及びシステムが必要とされる。
【００２２】
ここで、従来技術の刊行物が本明細書で参照される場合、その参照は、その出版物がオーストラリア又は他の国における当該技術分野における共通の一般的知識の一部を形成するという承認を与えるものではないということは明らかであるだろう。
【課題を解決するための手段】
【００２３】
本発明は、少なくとも部分的に上記の欠点の少なくとも１つを克服する、又は有用な又は商業的な選択肢を消費者に提供することができるデータ通信方法及びシステムに関する。
【００２４】
上記の背景のもと、１つの形態において、本発明は、マルチユーザ重畳送信（ＭＵＳＴ（Multi-User Superposition Transmission））をサポートするアドバンストセルラ無線通信システムにおいて使用されるデータ通信方法に広く属するものであって、前記方法は、
ＭＵＳＴ−ＵＥから、ＭＵＳＴ受信機方式を受信することと、
前記受信されたＭＵＳＴ受信機方式及びＭＵＳＴ送信技術に従って、第２ダウンリンク制御情報の基準サイズを決定することと、
前記ＭＵＳＴ送信技術を含むＭＵＳＴ設定に応じて動作するように前記ＭＵＳＴ−ＵＥを設定することと、
前記ＭＵＳＴ−ＵＥに、
ＭＵＳＴが使用される指示を含む第１ダウンリンク制御情報、
前記決定された基準サイズに応じた支援情報を含む第２ダウンリンク制御情報、及び
前記ＭＵＳＴ送信技術に従って、関連付けけられたＤＬ共有チャネル上のＭＵＳＴ複合データ信号と、を送信することと、を含む。
【００２５】
好ましくは、前記方法は、前記ＭＵＳＴ送信が使用されることを決定することをさらに含み、前記第２ダウンリンク制御情報及び前記ＭＵＳＴ複合データ信号は、前記決定に応じて送信される。
【００２６】
好ましくは、前記第１ダウンリンク制御情報は、サブフレーム単位で非ＭＵＳＴ信号送受信とＭＵＳＴ複合信号送受信との間の動的な切り替えを可能にする。
【００２７】
好ましくは、前記ＭＵＳＴ設定は、第２ダウンリンク制御情報のためのサーチスペーススケジューリング情報を含む。
【００２８】
好ましくは、前記ＭＵＳＴ設定は、アクティベーション時間に関連付けられ、前記第１ダウンリンク制御情報、前記第２ダウンリンク制御情報、及び前記ＭＵＳＴ複合データ信号は、前記アクティベーション時間以降に送信される。
【００２９】
好ましくは、前記ＭＵＳＴ設定は、無線リソース制御（ＲＲＣ：Radio Resource Control）シグナリングを使用して与えられる。
【００３０】
好ましくは、前記ＭＵＳＴ設定は、前記ＭＵＳＴ−ＵＥが第２ダウンリンク制御情報を検索する可能性がある、予めスケジューリングされた制御サーチスペースの開始を前記ＭＵＳＴ−ＵＥに通知するために、オフセット情報要素（ＩＥ：information element）を含む。
【００３１】
好ましくは、前記ＭＵＳＴ設定は、前記ＭＵＳＴ−ＵＥが、前記第２ダウンリンク制御情報の復号のためのＣＣＥを抽出することができる開始ＣＣＥを当該ＭＵＳＴ−ＵＥに通知するために、制御チャネルエレメントオフセットＩＥを含む。
【００３２】
好ましくは、前記ＭＵＳＴ設定は、前記ＭＵＳＴ−ＵＥが前記第２ダウンリンク制御情報のためにブラインドデコーディングを実行する必要があるかどうかを前記ＭＵＳＴ−ＵＥに通知するためにブラインドデコーディングＩＥを含む。
【００３３】
好ましくは、前記ＭＵＳＴ設定は、前記第２ダウンリンク制御情報のブラインドデコーディングのために使用されるＣＣＥの数の上限及び下限をそれぞれ示す、上限ＣＣＥアグリゲーションレベルＩＥ及び下限ＣＣＥアグリゲーションレベルＩＥを含む。
【００３４】
好ましくは、前記第１ダウンリンク制御情報は、拡張された３ＧＰＰ ＬＴＥレガシーＤＣＩを含み、ＭＵＳＴが使用されているかどうかを示す動的切り替えインジケータフィールド、及び第２ダウンリンク制御情報の基準サイズに応じて前記第２ダウンリンク制御情報のサイズを示すための、関連付けられたダウンリンク制御情報インデックスフィールドをさらに含む。
【００３５】
本方法は、
サブフレームにおいて、チャネル状態がＭＵＳＴ複合信号送信に適していないことを決定することと、
前記ＭＵＳＴ−ＵＥに、
ＭＵＳＴが使用されないことを示す指示を含む第１ダウンリンク制御情報と、
関連付けられたＤＬ共有チャネル上で、非ＭＵＳＴデータ信号と、を送信することと、をさらに含んでもよい。
【００３６】
好ましくは、前記第２ダウンリンク制御情報は、前記第１ダウンリンク制御情報を入力として使用し、符号化される。
【００３７】
好ましくは、前記第２ダウンリンク制御情報は、巡回冗長検査（ＣＲＣ：cyclic redundancy check）符号化のためのペイロードを形成するために、前記第１ダウンリンク制御情報を前記第２ダウンリンク制御情報と連結することによって符号化される。
【００３８】
好ましくは、前記ＣＲＣ符号化されたペイロードは、前記ＭＵＳＴ ＵＥの識別子でスクランブルされる。
【００３９】
好ましくは、前記スクランブルされたＣＲＣ符号化されたペイロードは、前記第２ダウンリンク制御情報と連結される。
【００４０】
他の形態において、本発明は、マルチユーザ重畳送信（ＭＵＳＴ）をサポートするアドバンストセルラ無線通信システムにおいて使用されるデータ通信方法に広く属するものであって、前記方法は、
ＭＵＳＴ基地局にＭＵＳＴ受信機方式を報告することと、
前記ＭＵＳＴ基地局からＭＵＳＴ送信技術を含むＭＵＳＴ設定データを受信することと、
前記ＭＵＳＴ送信技術及びＭＵＳＴ受信機方式に従って、第２ダウンリンク制御情報の基準サイズを決定することと、
前記ＭＵＳＴ基地局から、
ＭＵＳＴが使用されることを示す指示を含む第１ダウンリンク制御情報、
前記決定された基準サイズに応じた支援情報を含む第２ダウンリンク制御情報、及び
前記ＭＵＳＴ送信技術に従って、関連付けけられたＤＬ共有チャネル上で、ＭＵＳＴ複合データ信号、を受信することと、を含む。
【００４１】
好ましくは、前記ＭＵＳＴ受信機方式は、前記関連付けられたＭＵＳＴ−ＵＥのネットワーク登録又はネットワークアタッチ段階で報告される。
【００４２】
前記方法は、
前記ＭＵＳＴ基地局から、
ＭＵＳＴが使用されないことを示す指示を含む第１ダウンリンク制御情報と、
関連付けられたＤＬ共有チャネルにおける非ＭＵＳＴデータ信号と、を受信することをさらに含んでもよい。
【００４３】
好ましくは、前記第１ダウンリンク制御情報は、ＭＵＳＴが使用されることを示す動的切り替えインジケータフィールド、及び第２ダウンリンク制御情報の前記基準サイズに応じた前記第２ダウンリンク制御情報のサイズを示す、関連付けられたダウンリンク制御情報インデックスフィールドを含む。
【００４４】
前記方法は、前記ＭＵＳＴ設定に応じて制御チャネルエレメント（ＣＣＥ：control channel element）を抽出することと、当該ＣＣＥから前記第２ダウンリンク制御情報を復号することと、をさらに含んでもよい。
【００４５】
好ましくは、前記ＭＵＳＴ設定は、ブラインドデコーディングが要求されないことを示すブラインドデコーディングＩＥを含み、それに応答して前記第２ダウンリンク制御情報のために、前記抽出されたＣＣＥに対する１回限りの復号が実行される。
【００４６】
好ましくは、前記ＭＵＳＴ設定は、ブラインドデコーディングが要求されることを示すブラインドデコーディングＩＥを含み、それに応答して前記第２ダウンリンク制御情報のために、前記抽出されたＣＣＥに対するブラインドデコーディングが実行される。
【００４７】
好ましくは、前記ＭＵＳＴ設定は、前記第２ダウンリンク制御情報を復号するために必要なブラインドデコーディングの試行の最大回数を定義する。
【００４８】
他の形態において、本発明は、アドバンスト無線通信システムに広く属するものであって、前記無線通信システムは、
少なくとも１つのＭＵＳＴ−ＵＥを含む複数のＵＥと、
アドバンスト基地局と、を備え、
前記アドバンスト基地局は、
前記ＭＵＳＴ−ＵＥから、ＭＵＳＴ受信機方式を受信し、
前記受信されたＭＵＳＴ受信機方式及びＭＵＳＴ送信技術に従って、第２ダウンリンク制御情報の基準サイズを決定し、
前記ＭＵＳＴ送信技術を含むＭＵＳＴ設定に応じて動作するようにＭＵＳＴ−ＵＥを設定し、
前記ＭＵＳＴ−ＵＥに、
ＭＵＳＴが使用されることを示す指示を含む第１ダウンリンク制御情報、
前記決定された基準サイズに応じた支援情報を含む第２ダウンリンク制御情報、及び
前記ＭＵＳＴ送信技術に従って、関連付けけられたＤＬ共有チャネル上で、ＭＵＳＴ複合データ信号、を送信する。
【００４９】
本発明の実施形態は、スケジューリングされたサブフレームをＭＵＳＴ複合データ送受信に提供するために、ＭＵＳＴ−ＢＳ及び複数のＭＵＳＴ−ＵＥとともに使用するためのシステムシグナリングアーキテクチャを及びシグナリング方法を提供する
【００５０】
本発明の実施形態は、同一の制御サーチスペースを共有する、非ＭＵＳＴデータ信号送信のためのダウンリンク制御情報及びＭＵＳＴ複合信号送信のためのダウンリンク制御情報の送信を可能にする、ハイブリッドシグナリング方法を提供する。これにより、ＭＵＳＴ−ＵＥにおいて必要とされるブラインドデコーディングの試行の回数を減らすことができる。
【００５１】
本発明の実施形態は、スケジューリングされたＤＬ共有チャネル上の非ＭＵＳＴ及びＭＵＳＴ複合データ信号の、サブフレームレベルのスケジューリングを可能にするシグナリング方法及び技術を提供する。
【００５２】
本発明の実施形態は、第２部分のエラー検出の間に、ダウンリンク制御情報の第１部分における誤警報及び／又は検出されないエラーの検出を可能にする、２つの部分のダウンリンク制御情報に使用するための効率的なエラー検出方法及び技術を提供する。
【００５３】
本発明の実施形態は、ＬＴＥベースのアドバンストセルラ無線通信システムにおけるＭＵＳＴデータ信号の受信及び復号を支援するダウンリンク制御情報を送信及び検出するための方法を提供する。
【００５４】
一形態において、本発明の実施形態は、アドバンスト通信システムにおいてＭＵＳＴを実現する上で使用するためのシステムシグナリングアーキテクチャに広く属する。
【００５５】
前記システムシグナリングアーキテクチャは、暗示的シグナリング部分及び明示的シグナリング部分を含んでもよい。暗示的シグナリング部分は、ＭＵＳＴ信号変調／送信において準動的に設定される基地局技術、及びＭＵＳＴ信号受信／復号において静的に登録／報告されるＵＥ受信機技術を活用してもよい。具体的には、前記暗示的シグナリングは、関連付けられたダウンリンク（ＤＬ）共有チャネルにおけるＭＵＳＴ複合データ信号の受信及び復号のための支援情報をサブフレーム上で運ぶ、動的ダウンリンク制御情報（ＤＣＩ）の基準サイズを決定することを含んでもよい。
【００５６】
前記明示的シグナリング部分は、スケジューリングされたＤＬ共有チャネルにおける非ＭＵＳＴ又はＭＵＳＴ複合データ信号の検出及び復号のために、必要かつ要求されるシグナリングをＵＥに提供する、準動的に設定される制御情報要素、及びサブフレーム上で動的に送信されるＤＣＩを含んでもよい。前記ＤＣＩは、第１  ＤＣＩ及び１又は複数の関連付けられた第２  ＤＣＩをさらに含み、第２  ＤＣＩは、スケジューリングされたＭＵＳＴ複合データ信号が関連付けられたＤＬ共有チャネル上に存在する場合にのみ、ＭＵＳＴ支援情報を搬送し、送信される。前記制御情報は、第２  ＤＣＩ送信及び検出のためのリソーススケジューリング情報をさらに含む、ＲＲＣ設定（RRC-configuration）又はＲＲＣ再設定（RRC-reconfiguration）メッセージの形式で送信される準動的なシグナリングであってもよい。
【００５７】
他の形態において、本発明は、ＭＵＳＴ可能な複数のＵＥ（ＭＵＳＴ−ＵＥ）及びＭＵＳＴ可能な基地局（ＭＵＳＴ−ＢＳ）を含む、ＭＵＳＴ可能な通信システムにおいて使用するためのハイブリッドシグナリング方法に広く属する。
【００５８】
ＭＵＳＴ−ＵＥによって報告される基準となる受信機の技術及びＭＵＳＴ複合データ信号の生成において使用される、基準となる送信機技術を活用することによって、ＭＵＳＴ−ＢＳは、当該ＭＵＳＴ−ＵＥのために使用される第２  ＤＣＩの基準サイズを決定してもよい。ＭＵＳＴ−ＵＥへのＤＬデータ送信をスケジューリングする際、前記ＭＵＳＴ−ＢＳは、さらなるスケジューリングされたＤＬ共有チャネルの受信のためのＭＵＳＴ  ＲＲＣ設定メッセージとともに前記ＭＵＳＴ−ＵＥをさらに設定してもよい。
【００５９】
前記送信されるＭＵＳＴ  ＲＲＣ設定メッセージは、ＲＲＣ設定されたＭＵＳＴ−ＵＥを誘導するリソーススケジューリング情報要素を含んでもよく、設定された制御領域において、制御リソースエレメントが、それのために対象とする複数の第２  ＤＣＩのための１つを検出及び復号するために与えられる。
【００６０】
ＲＲＣ設定されたＭＵＳＴ−ＵＥへのＤＬデータ送信のためにスケジューリングされたＤＬサブフレームにおいて、ＭＵＳＴ−ＢＳは、さらなる送信に関連付けられたＤＬ共有チャネル上の非ＭＵＳＴデータ信号の受信及び復号のための制御情報を提供する第１  ＤＣＩを送信するようにスケジューリングしてもよい。あるいは、ＭＵＳＴ−ＢＳは、１又は複数の、さらに送信される第２  ＤＣＩの受信の必要性を示す第１  ＤＣＩを送信するようにスケジューリングしてもよい。第１  ＤＣＩ及び前記関連付けられた第２  ＤＣＩは、さらに送信されるＤＬ共有チャネル上のＭＵＳＴ複合データ信号の受信及び復号のための制御情報及び支援情報を与えてもよい。
【００６１】
他の形態において、本発明はＭＵＳＴ−ＵＥで使用するための方法を提供する。ネットワーク登録又はネットワークアタッチ段階において、ＭＵＳＴ−ＵＥはＭＵＳＴ複合データ信号の受信及び復号のために使用される基準となる受信機の技術をサービシングＭＵＳＴ−ＢＳに報告してもよい。有効なＭＵＳＴ  ＲＲＣ設定又は再設定メッセージを受信すると、ＭＵＳＴ−ＵＥは、第２  ＤＣＩの基準サイズ、及び第２  ＤＣＩを検出するために使用する他の変動値をさらに決定してもよい。
【００６２】
有効なＭＵＳＴ  ＲＲＣ設定のアクティベーション時間以降、ＤＬサブフレームにおいて、ＭＵＳＴ  ＲＲＣ設定されたＭＵＳＴ−ＵＥは１又は複数の第１  ＤＣＩに対する、その設定された制御領域を監視してもよい。検出された第１  ＤＣＩの各々に対し、前記ＭＵＳＴ−ＵＥは、既存の第２  ＤＣＩに対する確認を行ってもよい。第２  ＤＣＩが存在しない場合、ＭＵＳＴ−ＵＥは、その非ＭＵＳＴ受信機の技術及び第１  ＤＣＩで受信された制御情報を使用して、スケジューリングされたＤＬ共有チャネルの受信を行ってもよい。そうでない場合、第２  ＤＣＩの存在する状態で、ＭＵＳＴ−ＵＥは、１又は複数の第２  ＤＣＩに対して１回限りの第２  ＤＣＩ復号、又は可変な回数のブラインドデコーディングの試行を実行する際に、制御リソースエレメントを抽出するためにＭＵＳＴ  ＲＲＣ設定されたＩＥを使用してもよい。
【００６３】
検出された第１  ＤＣＩの各々及び関連付けられた第２  ＤＣＩに対し、ＭＵＳＴ−ＵＥは、そのＭＵＳＴ受信機の技術を使用して、スケジューリングされたＤＬ共有チャネルの受信のための制御情報及び支援情報を抽出してもよい。
【００６４】
他の形態において、本発明の実施形態は、第１及び第２のＤＣＩにおける全体的なエラー検出を向上させ、第２  ＤＣＩが認証されていないＵＥによって傍受されることを防止するために第２  ＤＣＩの符号化を実施する際にＭＵＳＴ−ＢＳで使用するための方法を提供する
【００６５】
第１  ＤＣＩの内容は、１６個の巡回冗長検査（ＣＲＣ：cyclic redundancy check）パリティビットを生成するためのペイロードを形成する、関連付けられた第２  ＤＣＩの内容に連結されてもよい。生成された１６ビットＣＲＣは、さらなるチャネル符号化、レートマッチング、及び多重化のために第２  ＤＣＩの内容に付加された１６ビットのＵＥ−ＩＤでスクランブルされる。したがって、ＭＵＳＴ−ＵＥにおいて、関連付けられた第２  ＤＣＩの復号中に、第１  ＤＣＩの誤検出又は検出されないエラーが検出され、それにより、スケジューリングされたＤＬ共有チャネル上の不要な信号処理が省かれる。
【００６６】
本発明の実施形態は、ダウンリンク制御情報の送信及び検出のための効率的な方法を提供し、動的にスケジューリングされたＭＵＳＴデータ信号の受信及び復号を支援する。上記方法は、より効率的なＬ１制御リソースの利用を可能にし、ブラインドデコーディングの量を減少させ、セキュリティを改善するとともに、必要に応じて、さらに強化されたＭＵＳＴカテゴリ／技術を採用することが可能な、柔軟なシグナリング構造を提供する。
【００６７】
本明細書に記載された特徴は、いずれも本発明の範囲内で、本明細書に記載の他の特徴のいずれか１つ以上と任意の組み合わせで組み合わせることができる。
【００６８】
本明細書における先行技術の参照は、先行技術が一般的な共通知識の一部を形成することへの承認、又はいかなる形式の示唆ではなく、またそのように解釈されるべきではない。
【図面の簡単な説明】
【００６９】
本発明の多様な実施形態を付随する図面への参照ともに以下に説明する。
【００７０】
【図１】図１は、チャネル利得及びパスロスを示す。
【００７１】
【図２】図２は、本発明の実施形態に係るマルチユーザ重畳送信（ＭＵＳＴ（Multi-User Superposition Transmission））システムで使用するためのシグナリングアーキテクチャを示す。
【００７２】
【図３】図３は、本発明の実施形態に係る、図２のシグナリングアーキテクチャの例示的なＲＲＣ設定を示す。
【００７３】
【図４】図４は、本発明の実施形態に係る、ＭＵＳＴ動作のためのアプリケーションを示す。
【００７４】
【図５】図５は、本発明の実施形態に係る、他の例示的なＭＵＳＴ設定を示す。
【００７５】
【図６】図６は、本発明の実施形態に係る、他の例示的なＭＵＳＴ  ＲＲＣ設定を示す。
【００７６】
【図７】図７は、本発明の実施形態に係る、他の例示的なＭＵＳＴ  ＲＲＣ設定を示す。
【００７７】
【図８】図８は、本発明の実施形態に係る、改善されたセキュリティ及びプライバシーを提供し、誤警報率を低減することができる、ダウンリンク制御情報の符号化構造を示す。
【００７８】
【図９】図９は、本発明の実施形態に係る、シグナリングアーキテクチャを提供し、ＭＵＳＴ動作を可能にするための動作手順を提供する方法を示す。
【００７９】
【図１０】図１０は、本発明の実施形態に係る、ＭＵＳＴ−ＵＥで実行されるための方法を示す。
【００８０】
好ましい特徴、実施形態、及び本発明の変形は、当業者が本発明を実施するために十分な情報を提供する以下の詳細な説明から理解されるだろう。発明を実施するための最良の形態は、いかなる観点からも、本発明の上述の概要の範囲を限定するものではない。
【発明を実施するための形態】
【００８１】
図２は、本発明の実施形態に係る、マルチユーザ重畳送信（ＭＵＳＴ）システムにおいて使用するためのシグナリングアーキテクチャ５０を示す。より具体的には、シグナリングアーキテクチャ５０は、ＭＵＳＴ複合データ信号の受信及び復号において、基地局に近い（near-UE）ＵＥを支援するための支援情報を提供する。
【００８２】
シグナリングアーキテクチャ５０は、暗示的シグナリング６０及び明示的シグナリング７０を含む。暗示的シグナリング６０は、ＭＵＳＴ−ＵＥ（すなわち、ＭＵＳＴ複合データ信号の受信及び復号のためのアドバンスト受信機を備えたＵＥ）からＭＵＳＴ基地局（ＢＳ）への、ＭＵＳＴ  ＵＥ受信機方式６１のシグナリングと、サブフレーム単位の基地局（ＢＳ）からＭＵＳＴ−ＵＥへの送信のために動的にスケジューリングされる、拡張ダウンリンク制御情報（ＤＣＩ−Ｅ：Enhanced Downlink Control Information）６２のシグナリングとを含む。
【００８３】
ＭＵＳＴ  ＵＥ受信機方式６１のシグナリングとサブフレーム単位のＤＣＩ−Ｅ６２のシグナリングとの組み合わせは、関連付けられたＭＵＳＴダウンリンク制御情報（ＤＣＩ−Ｍ：MUST Downlink-Control-Information）６３の基準サイズを暗示的に示す。ＤＣＩ−Ｍは、基地局に近い(near-UE)ＭＵＳＴ−ＵＥ、すなわち、送信されたＭＵＳＴ複合データ信号の受信及び復号のために、１又は複数の基地局から遠い(far-UE)ＵＥとペアになるようにスケジューリングされたＭＵＳＴ−ＵＥにおける、関連付けられた共有チャネルにおいてスケジューリングされたＭＵＳＴ複合データ信号の受信及び復号のための動的な支援情報を運ぶ。
【００８４】
明示的シグナリング７０は、準動的シグナリング部分７１と動的シグナリング部分７３とを含む。準動的シグナリング部分７１は、ＭＵＳＴ−ＲＲＣ設定（又は再設定）を含む。ＭＵＳＴ−ＲＲＣ設定（又は再設定）は、以下の情報要素（ＩＥ）を含む：DCI-E-M-Offset（ＤＣＩ−Ｅ−Ｍ−オフセット） ＩＥ７２．１、CCE-Offset（ＣＣＥ−オフセット） ＩＥ７２．２、Blind-Decoding（ブラインドデコーディング） ＩＥ７２．３、Upper-bound-CCE-Aggregation（上限ＣＣＥアグリゲーション） ＩＥ７２．４、Lower-bound-CCE-Aggregation（下限ＣＣＥアグリゲーション） ＩＥ７２．５、オプションのMUST-Category（ＭＵＳＴ−カテゴリ） ＩＥ７２．６、及びオプションのDCI-M variances table（ＤＣＩ−Ｍ分散テーブル） ＩＥ７２．７。
【００８５】
動的シグナリング部分７３は、ＤＣＩ−Ｅ７４、又はＤＣＩ−Ｅ７４及び関連付けられたＤＣＩ−Ｍ７８の形式のレイヤ−１（すなわち、物理レイヤ）シグナリングを含み、それは、サブフレーム単位で、ＤＬサブフレームにおける１又は複数のダウンリンク（ＤＬ）共有データチャネルを受信するようにスケジューリングされる、ＲＲＣ設定されたＭＵＳＴ−ＵＥに動的に送信される。
【００８６】
ＤＣＩ−Ｅ７４は、１ビットのフィールドである、動的ＭＵＳＴ切替インジケータフィールド７６を含むように拡張されたレガシーＤＣＩ７５を含む。値「０」は、関連付けられた共有チャネルが非ＭＵＳＴモードで送信されること、すなわち、共有チャネルが基地局に近いＵＥのみを対象としており、関連付けられたＤＣＩ−Ｍの受信及び復号が必要でないことを示す。値「１」は、関連付けられた共有チャネルがＭＵＳＴモードで送信されること、すなわち、共有チャネル上の信号が基地局に近いＵＥ及び基地局から遠いＵＥの両方を同時に対象としている、ＭＵＳＴ複合信号であることを示す。したがって、関連付けられた共有チャネルの検出及び復号を支援するための支援情報を抽出するために、関連付けられたＤＣＩ−Ｍの受信及び復号が必要である。
【００８７】
関連付けられたＤＣＩ−Ｍインデックスフィールド７７は、３ビットのフィールドであり、予め定義された基準ＤＣＩ−Ｍに関連するサイズ変動値（size variations）に関連する情報を与える。例えば、基準ＤＣＩ−Ｍは、ベース信号としての１つの基地局から遠いＵＥと、拡張された信号としての１つの基地局に近いＵＥとの組み合わせに対して予め定義されてもよい。さらなる変動値は、サブバンド単位のＭＵＳＴ複合信号の生成のために、ベース信号としての２又は複数の基地局から遠いＵＥと、拡張された信号としての１つの基地局から近いＵＥとの組み合わせに関連してもよい。しかしながら、当業者には、基地局に近いＵＥと基地局から遠いＵＥとの他の組み合わせが準備されてもよいことが容易に理解されるだろう。
【００８８】
基準ＤＣＩ−Ｍの分散は、DCI-M variances table ＩＥ７２．７において定義されてもよく、それはＭＵＳＴ可能な基地局（ｅＮＢ）によって、ＲＲＣ設定されたＭＵＳＴ−ＵＥに提供されるルックアップテーブルを含んでもよい。
【００８９】
ＤＣＩ−Ｍ７８は、特定のＭＵＳＴカテゴリ及び／又はＭＵＳＴ−ＵＥ受信機方式のための、ＭＵＳＴ複合信号７９の検出及び復号を支援するためにＭＵＳＴに関連した制御情報要素（ＩＥ：information element）を運ぶ、予め定義された「ダウンリンク制御情報」要素である。特定のＭＵＳＴカテゴリ及びＭＵＳＴ  ＵＥ受信機方式の各々に対し、固定サイズを有する予め定義された基準ＤＣＩ−Ｍが定義され、ＭＵＳＴ基地局（ｅＮＢ）及びそのサービシングＲＲＣ設定されたＭＵＳＴ−ＵＥの両方によって暗示的に決定することができる。
【００９０】
本発明の他の態様は、暗示的な制御信号６０を見つけるための情報要素を活用するための方法、及び、サブフレーム単位でＭＵＳＴデータ送信の動的スケジューリングを可能にする、明示的な信号７０の送信及び受信のための方法に関する。
【００９１】
本方法は、ネットワーク登録又はネットワークアタッチを実施したときに開始され、そこにおいて、ＭＵＳＴ−ＵＥは、ＭＵＳＴデータ信号の受信及び復号に使用するための、自身の基準受信機方式情報をサービシング基地局に通知／報告する。登録されたＭＵＳＴ−ＵＥ受信機方式、及び対象のサービシングＭＵＳＴカテゴリ又は技術に基づいて、基地局（ｅＮＢ）は、登録／アタッチされたＭＵＳＴ−ＵＥがＭＵＳＴダウンリンク共有チャネル受信処理のためにＲＲＣ設定された時に、当該登録／アタッチされたＭＵＳＴ−ＵＥによって暗示的に認識される、予め定義されたＤＣＩ−Ｍサイズのセットを決定することができる。
【００９２】
ダウンリンクサブフレーム上の対象のＤＣＩ−Ｅ７４のさらなる検出及び復号がされると、ＲＲＣ設定されたＭＵＳＴ−ＵＥは、上記セットに１よりも多くのＤＣＩ−Ｍが存在する場合、関連付けられたＤＣＩ−Ｍ７８のサイズをさらに絞り込むことができる。
【００９３】
好適な信頼レベルで基地局に近いＵＥ及びペアになった基地局から遠いＵＥの両方において正常に復号される、１つ又は複数のＭＵＳＴダウンリンク共有チャネルを送信するために、基地局（ｅＮＢ）は、所定のスケジューリングアルゴリズムに従って、ペアとなる基地局から遠いＵＥとしての非ＭＵＳＴ可能ＵＥを含む、１又は複数の他のＵＥとペアリングするために基地局に近いＵＥとして１又は複数のＭＵＳＴ−ＵＥを定期的に選択してもよい。
【００９４】
基地局に近いＵＥの１又は複数のグループ内において、基地局（ｅＮＢ）は、割り当てられる、基地局に近いＭＵＳＴ−ＵＥのいくつか又は全てを選択し、ＤＣＩ−Ｍ送受信のための固定された制御リソースと共に設定してもよく、残りの基地局に近いＭＵＳＴ−ＵＥには、柔軟なＤＣＩ−Ｍスケジューリング、送信及び受信のための、同一の又は異なる固定された制御サーチスペースが割り当てられてもよい。この制御リソース設定／再設定は、後述するＲＲＣ設定／再設定を介して準動的な様式で明示的に実施されてもよい。
【００９５】
図３は例示的なＲＲＣ設定／再設定７２を示し、図４は本発明の実施形態に係る、ＭＵＳＴ動作用アプリケーション２００を示す。
【００９６】
DCI-E-M-Offset ＩＥ７２．１、２２０は、［０：１５］の範囲の整数値を表す、４ビットのフィールドである。DCI-E-M-Offset値７２．１、２２０は、ＤＣＩ−Ｅ２０３の送信のための制御サーチスペース２１０の開始２１１に対して、関連付けられたＤＣＩ−Ｍ２０５の送信のための制御サーチスペース２３０の開始２３５を示すために使用される。DCI-E-M-Offset ＩＥ７２．１がゼロに設定されている場合、ＤＣＩ−Ｅ２０３及び関連付けられたＤＣＩ−Ｍ２０５は、同一のサーチスペース２１０で送信され、サーチスペースの開始２１１は、ＲＮＴＩが割り当てられたＭＵＳＴ−ＵＥから暗示的に導出される。そうでない場合、関連付けられたＤＣＩ−Ｍ２０５は、他のＵＥサーチスペース２３０を使用して送信される。
【００９７】
CCE-Offset ＩＥ７２．２、２５１は、［０：１５］の範囲の整数値を表す、４ビットのフィールドである。CCE-Offset ＩＥ７２．２、２５１は、ＲＲＣ設定されたＭＵＳＴ−ＵＥが対象のＤＣＩ−Ｍのための制御チャネルの復号のためのＣＣＥを抽出することができる、ＣＣＥの開始２５５を示すために使用される。CCE-Offset値７２．２、２７１はまた、ＲＲＣ設定されたＭＵＳＴ−ＵＥがＤＣＩ−Ｍ２０５のブラインドデコーディングを試行するためのＣＣＥを抽出できる、ＣＣＥの開始２７５を示すために使用される。
【００９８】
blind-decoding ＩＥ７２．３は、ＭＵＳＴ−ＵＥが対象のＤＣＩ−Ｍのためのブラインドデコーディングを実行するように設定されているか否かを示す１ビットのフィールドである。値「０」７２．３．１、２５０は、固定された制御リソースが割り当てられ、それゆえ、対象のＤＣＩ−Ｍのためのブラインドデコーディングが要求されないことを示す。この場合、upper-bound-CCE-aggregation-level７２．４は、lower-bound-CCE-aggregation-level７２．５と等しく設定され、エラー検出のためのさらなる手段を提供し、upper-bound-CCE-aggregation-level７２．４及びlower-bound-CCE-aggregation-level７２．５は、ＭＵＳＴ−ＵＥが対象のＤＣＩ−Ｍ２０５の復号のために抽出すべきＣＣＥ２５２の数を示す。
【００９９】
なお、抽出されたＣＣＥは、連続的なＣＣＥ又は交互のＣＣＥ、又はサービシング基地局（ｅＮＢ）及びＭＵＳＴ−ＵＥによって予め定義され、暗示的に認識されることができるか、又は明示的に通知されることができる他の任意の構成であってもよい。
【０１００】
値「１」７２．３．２、２７０は、固定された制御サーチスペースが割り当てられ、それゆえ、１又は複数の対象のＤＣＩ−Ｍのためのブラインドデコーディングが要求される可能性があることを示している。この場合、設定されたupper-bound-CCE-aggregation-level７２．４、２７３は、最も高いアグリゲーションレベルを示し、設定されたlower-bound-CCE-aggregation-level７２．５、２７２は、最も低いアグリゲーションレベルを示し、このように、ＭＵＳＴ−ＵＥが実行する必要のあるＣＣＥアグリゲーションレベルの境界を定義する。
【０１０１】
設定されたupper-bound-CCE-aggregation-level７２．４、２７３及びlower-bound-CCE-aggregation-level７２．５、２７２に基づいて、ＭＵＳＴ−ＵＥはさらに、それらの間の全ての可能なＣＣＥアグリゲーションレベルを決定することができ、したがって、対象のＤＣＩ−Ｍ２０５のために運ばれる必要がある、ブラインドデコーディングの試行の回数を決定することができる。
【０１０２】
MUST-Category ＩＥ７２．６は、［０：３］の範囲の整数値を表す２ビットのフィールドである。MUST-Category値７２．６は、サービス基地局（ｅＮＢ）において適用されるＭＵＳＴ送信技術をＭＵＳＴ−ＵＥに通知するために使用される。有効に設定されたMUST-Category ＩＥを有するＲＲＣ設定を受信すると、ＲＲＣ設定されたＭＵＳＴ−ＵＥは、その登録されたＭＵＳＴ受信機方式とともに、ＤＣＩ−Ｍの検出及び復号に対して有効である当該ＤＣＩ−Ｍのサイズを暗示的に決定することができる。ＲＲＣ設定された又はアクティベートされたＭＵＳＴ−ＵＥは、復号を実行する前に、サブフレーム単位で、同時に送信されるＤＣＩ−Ｍ２０５のサイズをさらに絞り込むために、検出されたＤＣＩ−Ｅ２０３を使用してもよい。
【０１０３】
定期的に、基地局（ｅＮＢ）は、ＭＵＳＴに関連した再スケジューリングを行ってもよいし、それは、固定された制御リソース割当が割り当てられた１又は複数のＭＵＳＴ−ＵＥが、固定された制御サーチスペース割当を有するように再設定されてもよいし、その逆となる結果となってもよい。
【０１０４】
有効なＭＵＳＴ  ＲＲＣ設定／再設定のアクティベーション時間以降、ダウンリンク（ＤＬ）サブフレームにおいて、ＲＲＣ設定されたＭＵＳＴ−ＵＥは、１又は複数の対象となるＤＣＩ−ＥのためのＤＬサブフレームの設定された制御サーチスペースを監視する。それを対象にしたＤＣＩ−Ｅ７４の検出及び復号が成功すると、ＲＲＣ設定されたＭＵＳＴ−ＵＥは、関連付けられた共有チャネルが非ＭＵＳＴモードで送信されるか、又はＭＵＳＴモードで送信されるかを調べるために、検出されたＤＣＩ−Ｅ７４の動的ＭＵＳＴ切替インジケータフィールド７６を復号する。
【０１０５】
検出されたＤＣＩ−Ｅ７４の動的ＭＵＳＴ切替インジケータフィールド７６が、関連付けられた共有データチャネルが非ＭＵＳＴ信号であることを示す場合、ＲＲＣ設定されたＭＵＳＴ−ＵＥは、ＤＣＩ−Ｍ７８の検出及び復号を実行せず、それにより、信号処理能力を節約する。そして、ＲＲＣ設定されたＭＵＳＴ−ＵＥは、現在のＤＣＩ−Ｍ７８プロセスを無視し、非ＭＵＳＴ受信機技術を使用して、検出されたＤＣＩ−Ｅ７５毎に共有データチャネルの受信及び復号を実行してもよい。
【０１０６】
検出されたＤＣＩ−Ｅ７４の動的ＭＵＳＴ切替インジケータフィールド７６が、関連付けられた共有データチャネルがＭＵＳＴ信号であることを示す場合、ＲＲＣ設定されたＭＵＳＴ−ＵＥは、基準ＤＣＩ−Ｍサイズを参照してＤＣＩ−Ｍ変動値を取得するために、検出されたＤＣＩ−Ｅ７４の関連付けられたＤＣＩ−Ｍインデックスフィールド７７を復号する。当該基準ＤＣＩ−Ｍサイズは、その報告されたＭＵＳＴ  ＵＥ受信機方式及び上記のＲＲＣ設定／再設定信号から暗示的に導出される。
【０１０７】
動的ＭＵＳＴ切替インジケータフィールド７６及び関連付けられたＤＣＩ−Ｍインデックスフィールド７７を使用することにより、ＲＲＣ設定されたＭＵＳＴ−ＵＥは、対象のＤＣＩ−Ｍの１回限りの復号、又はそれを対象にしたＤＣＩ−Ｍのための復号の試行を予め設定された回数のみ実施することができ、それにより、信号処理能力を大幅に節約する。
【０１０８】
検出されたＤＣＩ−Ｍ７８の復号された支援情報７９は、関連付けられたＭＵＳＴ複合共有チャネルを検出して復号する際に、ＲＲＣ設定されたＭＵＳＴ−ＵＥによって使用される。ＲＲＣ設定されたＭＵＳＴ−ＵＥは、ＤＣＩ−Ｅ７４及びＤＣＩ−Ｍ７８を同時に検出及び復号してもよい。しかし、ＭＵＳＴ−ＵＥは、指定された範囲内の全ての可能なＤＣＩ−Ｍサイズ変動値及び／又はＣＣＥアグリゲーションレベルに対応するために、ＤＣＩ−Ｍのブラインドデコーディングにかなりの信号処理電力を費やす必要がある。
【０１０９】
図５は、本発明の実施形態に係るＭＵＳＴ  ＲＲＣ設定３００の他の例を示す。具体的には、以下に示すように、本方法は、明示的信号７０の送信及び受信を含み、サブフレーム単位のＭＵＳＴデータ送信の動的スケジューリングを可能にする。
【０１１０】
ＭＵＳＴ−ＵＥは、ＤＣＩ−Ｅ及び関連付けられたＤＣＩ−Ｍが同一のサーチスペースを共有することを示す、「０」の値を有するDCI-E-M-Offset２２０と、制御チャネル復号のためのＣＣＥが抽出されるオフセットを介してＣＣＥの開始を示す、「４」の値を有するCCE-Offset２５１と、blind-decodingが無効にされていることを示す、「０」の値を有するブラインドデコーディングフィールド、並びに設定されたＣＣＥアグリゲーションレベル２５２が４であることを示す、「４」の値を有するupper-bound CCE-aggregation level及び「４」の値を有するlower-bound CCE-aggregation levelを含む、ＭＵＳＴ  ＲＲＣ設定／再設定３０１とともに設定されてもよい。
【０１１１】
アクティベーション時間以降、ＲＲＣ設定されたＭＵＳＴ−ＵＥは、対象のＤＣＩ−Ｅ２０３のためのＤＬサブフレームにおいて、設定された制御サーチスペース２１０を監視してもよい。設定された制御サーチスペース２１０は、暗示的に決定することができる開始２１１を有し、制御サーチスペースの開始２１１は、関連付けられたＤＣＩ−Ｍ２０５に割り当てられ得るＣＣＥ２５２を決定するための基準として使用される。
【０１１２】
ＣＣＥ２１２上の送信のためにスケジューリングされるＤＣＩ−Ｅ２０３が検出されると、動的ＭＵＳＴ切替インジケータフィールドは復号され、ＤＣＩ−Ｍインジケータフィールドに提供される、ＤＣＩ−Ｍサイズ分散を有する関連付けられたＤＣＩ−Ｍ２０５が存在することを示す。ＲＲＣ設定されたＭＵＳＴ−ＵＥは、対象のＤＣＩ−Ｍ２０５のために、抽出された４−ＣＣＥ２５２に対して１回限りの復号を実行してもよい。ＤＣＩ−Ｍ２０５の検出が成功すると、関連付けられた共有チャネルにおいてＭＵＳＴ複合信号の受信及び復号のための支援情報が提供される。
【０１１３】
図６は、本発明の実施形態に係る、ＭＵＳＴ  ＲＲＣ設定３２０の他の例を示す。ＭＵＳＴ−ＵＥは、関連付けられたＤＣＩ−Ｍが次のサーチスペースにおける送信のためにスケジューリングされ、他のＵＥのサーチスペース２５０を共有することを示す、「１」の値を有するDCI-E-M-Offset２２０、値「４」を有するCCE-Offset２５１と、ブラインドデコーディングが無効にされることを示す、値「０」を有するblind-decodingフィールド、並びにそれらで設定されたＣＣＥアグリゲーションレベル２５２が４であることを示す、「４」の値を有するupper-bound CCE-aggregation level及び「４」の値を有するlower-bound CCE-aggregation levelフィールドを含む、ＭＵＳＴ  ＲＲＣ設定／再設定３０２とともに設定される。
【０１１４】
アクティベーション時間以降、ＲＲＣ設定されたＭＵＳＴ−ＵＥは、ＤＣＩ−Ｅ２０３のためにＤＬサブフレーム上の設定された制御サーチスペース２１０を監視する。設定された制御サーチスペース２１０の開始２１１は暗示的に決定されてもよい。制御サーチスペースの開始２１１及び「１」の値を有するDCI-E-M-Offset２２０は、送信されるＤＣＩ−Ｍ２０５を含み得るサーチスペース２５０の開始２３５を決定するための基準として使用される。
【０１１５】
「４」の値を有する、設定されたCCE-Offsetは、送信されるＤＣＩ−Ｍ２０５を有する可能性がある開始ＣＣＥをさらに示す。
【０１１６】
２個のＣＣＥ２１２における送信のためにスケジューリングされてもよいＤＣＩ−Ｅ２０３が検出されると、それの動的ＭＵＳＴ切替インジケータフィールドが復号され、関連付けられたＤＣＩ−Ｍインデックスフィールド毎に与えられる、ＤＣＩ−Ｍサイズ分散を有する関連付けられたＤＣＩ−Ｍ２０５の存在を示す。このように、ＲＲＣ設定されたＭＵＳＴ−ＵＥは、ＤＣＩ−Ｍ２０５のための４つのＣＣＥ２５２に対して１回限りの復号をさらに実行してもよい。ＤＣＩ−Ｍ２０５の検出が成功すると、関連付けられた共有チャネル上のＭＵＳＴ複合信号の受信及び復号のための支援情報が与えられる。
【０１１７】
図７は、本発明の実施形態に係る、ＭＵＳＴ  ＲＲＣ設定３５０の他の例を示す。ＭＵＳＴ−ＵＥは、関連付けられたＤＣＩ−Ｍが次のサーチスペースにおける送信のためにスケジューリングされ、他のＵＥのサーチスペース２７０を共有することを示す、「１」の値を有するDCI-E-M-Offset２２０、値「０」を有するCCE-Offset２７１と、ブラインドデコーディングが有効であることを示すblind-decodingフラグ、「８」の値を有するupper-bound CCE-aggregation level２７３、及び「１」の値を有するlower-bound CCE-aggregation level２７２を含む、他のＭＵＳＴ  ＲＲＣ設定／再設定３０５とともに設定される。
【０１１８】
アクティベーション時間以降、ＲＲＣ設定されたＭＵＳＴ−ＵＥは、ＤＣＩ−Ｅ２０３のためにＤＬサブフレーム上の設定された制御サーチスペース２１０を監視する。設定された制御サーチスペース２１０は、暗示的に決定することができる開始２１１を有してもよい。制御サーチスペースの開始２１１、及び値「１」を有するDCI-E-M-Offset２２０は、ＤＣＩ−Ｍ２０５を含む可能性があるサーチスペース２７０の開始２３５を決定するための基準として使用される。設定されたCCE-Offsetは、送信されたＤＣＩ−Ｍ２０５を含む可能性がある開始ＣＣＥを示す値「０」を有する。
【０１１９】
２つのＣＣＥ２１２上の送信のためにスケジューリングされる可能性があるＤＣＩ−Ｅ２０３が検出されると、その動的ＭＵＳＴ切替インジケータフィールドは復号され、関連付けられたＤＣＩ−Ｍインデックスフィールド毎に与えられる、ＤＣＩ−Ｍサイズを有する、関連付けられたＤＣＩ−Ｍ２０５が存在することを示す。そして、ＲＲＣ設定されたＭＵＳＴ−ＵＥは、ＤＣＩ−Ｍ２０５を復号するために、指定されたupper-bound CCE-aggregation level２７３及びlower-bound CCE-aggregation level２７２内の全ての可能なＣＣＥアグリゲーションレベルを試行することによって、８つのＣＣＥ２７３について複数回の復号の試行を実行してもよい。
【０１２０】
指定されたupper-bound CCE-aggregation level２７３が値「８」を有し、Lower-bound CCE-aggregation level２７２が値「１」を有するとすると、ＲＲＣ設定されたＭＵＳＴ−ＵＥが行なわなければならないブラインドデコーディングの回数２８０は、８個のＣＣＥに対する１候補、４個のＣＣＥに対する２候補、２個のＣＣＥに対する４候補、及び１個のＣＣＥに対する８候補、すなわち合計で１５回である。そして、ＤＣＩ−Ｍ２０５の検出が成功すると、関連付けられた共有チャネル上でＭＵＳＴ複合信号の受信及び復号のための支援情報が与えられる。
【０１２１】
図８は、本発明の実施形態に係る、改良されたセキュリティ及びプライバシーを提供し、関連付けられたＤＣＩ−Ｍの誤警報率を低減することができる、ＤＣＩ（ＤＣＩ−Ｅ）の符号化構造４００を示す。
【０１２２】
ＲＲＣ設定されたＭＵＳＴ−ＵＥは、設定されたアクティベーション時間以降に、対象のＤＣＩ−Ｅ７４又はＤＣＩ−Ｅ７４と１又は複数の関連付けられたＤＣＩ−Ｍ７８との組み合わせのためにＤＬサブフレームを監視する。関連付けられた共有チャネルのサブフレームにおいてＲＲＣ設定されたＭＵＳＴ−ＵＥへのスケジューリングされたＤＬデータ送信がＭＵＳＴに適していない場合、ＭＵＳＴ基地局（ｅＮＢ）は、ＤＣＩ−Ｅの内容７４のみに対して符号化４２１、ＣＣＥアグリゲーションのためのＤＣＩ−Ｅ  ＣＣＥ４２３を生成し、制御チャネルが他のＤＣＩ及び／又は他のＵＥのＤＣＩ４１０と多重化することを実行する。
【０１２３】
一方、関連付けられた共有チャネルにおいてＲＲＣ設定されたＭＵＳＴ−ＵＥへのスケジューリングされたＤＬデータ送信がＭＵＳＴに適している場合、ＭＵＳＴ基地局（ｅＮＢ）は、ＤＣＩ−Ｅの内容７４及び関連付けられたＤＣＩ−Ｍの内容７８に対して符号化４２０、ＣＣＥアグリゲーションレベルに対してそれぞれＤＣＩ−Ｅ  ＣＣＥ４２３及びＤＣＩ−Ｍ  ＣＣＥ４２４を生成し、制御チャネルが他のＤＣＩ及び／又は他のＵＥのＤＣＩ４１０と多重化することを実行する。
【０１２４】
ＭＵＳＴ基地局（ｅＮＢ）は、ＤＣＩ−Ｅ７４についての符号化４２１と、関連付けられたＤＣＩ−Ｍ７８についての符号化４２２とを別個に行い、そして、ＤＣＩ−Ｅ７４の内容は、関連付けられたＤＣＩ−Ｍ７８の符号化４２２への入力４２５としてさらに使用される。これにより、有効かつ正しく受信されたＤＣＩ−Ｅの内容７４により、ＲＲＣ設定されたＭＵＳＴ−ＵＥが関連付けられたＤＣＩ−Ｍ７８を検出できる。
【０１２５】
ＤＣＩ−Ｅの符号化４２１は、制御チャネルの多重化及び送信のための所望するＣＣＥ４２３を生成するために、ＵＥ固有のＣＲＣ付加、チャネル符号化及びレートマッチングを含むレガシーＬＴＥ符号化構造である。ＤＣＩ−Ｍ符号化４２２は、ＣＣＥアグリゲーション及び制御チャネル多重化４９０のためのＤＣＩ−Ｍ  ＣＣＥ４２４を生成するために、ＤＣＩ−Ｍ  ＣＲＣ付加機能４５０、レガシーチャネル符号化機能４６０、及びレガシーレートマッチング機能４７０を含むチャネル符号化構造である。
【０１２６】
ＤＣＩ−Ｍ  ＣＲＣ付加機能４５０は、さらなるＣＲＣ計算のためのペイロードを形成するために、ＤＣＩ−Ｅの内容を、関連付けられたＤＣＩ−Ｍの内容に連結する、ＤＣＩ−Ｅ及びＤＣＩ−Ｍ連結機能４５２を含む。
【０１２７】
ＣＲＣ計算機能４５３は、巡回冗長検査（ＣＲＣ）を介して、有効なＤＣＩ−Ｅ７４を参照して、ＤＣＩ−Ｍ７８の送信における誤り検出を行う。連結されたＤＣＩ−Ｍ及びＤＣＩ−Ｅのペイロードは、ＵＥ固有のＣＲＣマスキング機能への入力として順番に使用される、１６個のＣＲＣパリティビットを計算するために使用される。
【０１２８】
ＵＥ固有ＣＲＣマスキング機能４５４は、入力として、ＣＲＣ計算機能４５３において生成された１６個のＣＲＣパリティビットを受け取り、１６個のＵＥ固有のマスキングされたＣＲＣパリティビットのシーケンスを形成するためにＲＲＣ設定されたＭＵＳＴ−ＵＥ  ＩＤである、対応する無線ネットワークテンポラリ識別子（ＲＮＴＩ（Radio Network Temporary Identifier））を使用する。
【０１２９】
ＣＲＣ付加機能４５５において、１６個のＵＥ固有のマスキングされたＣＲＣパリティビットは、４６０における、さらなるチャネル符号化のために、ＤＣＩ−Ｍビットに付加又は連結される。
【０１３０】
有効かつ正しく検出されたＤＣＩ−Ｅ及び割り当てられたＲＮＴＩがなければ、ＲＲＣ設定されたＭＵＳＴ−ＵＥ又はＤＣＩ−Ｍの傍受を試みる他のＵＥは、上記ＤＣＩ−Ｍチャネル符号化構造４５０を介して処理されたＤＣＩ−Ｍを正しく検出することができない。
【０１３１】
図９は、本発明の実施形態に係る、シグナリングアーキテクチャを提供し、ＭＵＳＴ動作を可能にするための動作手順を提供する方法５００を示している。方法５００はＭＵＳＴ基地局（ｅＮＢ）で実施されるためのものである。
【０１３２】
ステップ５０１において、方法５００は、ネットワーク登録又はネットワークアタッチにおいてＭＵＳＴ−ＵＥにより報告されたＭＵＳＴ−ＵＥによりの受信機方式、及び基地局（ｅＮＢ）によりＭＵＳＴ複合信号を生成するために使用されるＭＵＳＴ技術／カテゴリに従って、１又は複数の基準ＤＣＩ−Ｍのサイズ、及びＭＵＳＴ−ＵＥへのＤＬデータ送信のために使用される、関連付けられた変動値を決定することを含む。
【０１３３】
ステップ５０２において、ＵＥペアリングアルゴリズム及びＤＣＩ−Ｍ送信のスケジューリングの結果に基づいて、ＭＵＳＴ基地局（ｅＮＢ）は、ＲＲＣ  ＭＵＳＴ設定又は再設定により１又は複数のＲＲＣ接続されたＭＵＳＴ−ＵＥを設定又は再設定する。これは、ＵＥ単位で全ての適切なＭＵＳＴ−ＵＥによりに対して実行されてもよい。
【０１３４】
ステップ５０３において、有効なＲＲＣ−ＭＵＳＴ−設定又は再設定のアクティベーション時間以降、ＭＵＳＴ基地局（ｅＮＢ）は、基地局から近いＵＥとして特定のＭＵＳＴ−ＵＥのためにスケジューリングされたＤＬ共有チャネルのサブフレームにおいてＭＵＳＴを決定する。ここで、当該特定のＭＵＳＴ−ＵＥは、例えば、それと対になった、基地局から遠いＵＥがもはやベース信号として使用するのに適していないか、又は当該基地局から遠いＵＥが当該サブフレームにおいてスケジュールＤＬデータを有していないために推奨されないものである。その結果、ＭＵＳＴ送信を有効にするとパフォーマンスが低下する。
【０１３５】
上記サブフレームにおいて、ＭＵＳＴ基地局（ｅＮＢ）は、関連付けられた共有チャネルの受信及び復号のためのＤＣＩ−Ｅの形式でＭＵＳＴ−ＵＥ制御情報を提供し、スケジューリングされた共有チャネル上で非ＭＵＳＴ信号をＭＵＳＴ−ＵＥに送信する。ＤＣＩ−Ｅの動的ＭＵＳＴ切替インジケータフィールドは、ＤＩＳＡＢＬＥ（無効）に設定され、関連付けられたＤＣＩ−Ｍインデックスフィールドは、ＩＮＶＡＬＩＤ（無効）に設定される。
【０１３６】
ステップ５０４では、サブフレームデータ領域において、ＭＵＳＴ基地局（ｅＮＢ）は、スケジューリングされた、関連付けられた共有チャネル上で非ＭＵＳＴデータ信号をＭＵＳＴ−ＵＥに送信する。
【０１３７】
ステップ５０５において、有効なＲＲＣ  ＭＵＳＴ設定のアクティベーション時間以降、ＭＵＳＴ基地局（ｅＮＢ）は、例えば、共有チャネル上のＭＵＳＴ複合信号がＭＵＳＴ−ＵＥ（基地局に近いＵＥ）において復号可能である可能性が高い、少なくとも１つのペアとなる、基地局から遠いＵＥが存在するという理由で、特定のＭＵＳＴ−ＵＥのためにスケジューリングされたＤＬ共有チャネルのサブフレーム上のＭＵＳＴが基地局に近いＵＥとして推奨されると決定する。その結果、ＭＵＳＴ送信を有効にするとパフォーマンスが向上する。
【０１３８】
上記サブフレームにおいて、ＭＵＳＴ基地局（ｅＮＢ）は、関連付けられた共有チャネルの受信及び復号のために、ＤＣＩ−Ｅ及び関連付けられたＤＣＩ−Ｍの形式でＭＵＳＴ−ＵＥ制御情報を提供する。ＤＣＥ−Ｅの動的ＭＵＳＴ切替インジケータフィールドは、ＥＮＡＢＬＥ（有効）に設定され、関連付けられたＤＣＩ−Ｍインデックスフィールドは、ＶＡＬＩＤ（有効）値に設定され、ＭＵＳＴ−ＵＥにおいて正確なＤＣＩ−Ｍサイズ決定を可能にする。
【０１３９】
ＲＲＣ−ＭＵＳＴ設定のblind-decoding ＩＥがＤＩＳＡＢＬＥ（無効）に設定されている場合、ＭＵＳＴ基地局（ｅＮＢ）は、ステップ５０６において、予めスケジューリングされた制御リソース上で関連付けられたＤＣＩ−Ｍを送信する。ＭＵＳＴ基地局（ｅＮＢ）は、ＤＣＩ−Ｍに、ＭＵＳＴ-ＵＥ（すなわち、基地局に近いＵＥ）及び基地局から遠いＵＥを目的とした共有チャネル上のＭＵＳＴ複合信号の検出及び複合において当該ＭＵＳＴ−ＵＥを支援するための支援情報を含める。
【０１４０】
一方、ＭＵＳＴ−ＵＥ  ＲＲＣ設定のblind-decoding ＩＥがＥＮＡＢＬＥ（有効）に設定されている場合、ＭＵＳＴ基地局（ｅＮＢ）は、ステップ５０７で、予めスケジュールされた制御サーチスペースにおいて１又は複数の関連付けられたＤＣＩ−Ｍを送信する。ＤＣＩ−Ｍは、ＭＵＳＴ−ＵＥ（基地局に近いＵＥ）及び基地局から遠いＵＥを目的とするスケジューリングされた共有チャネルにおいてＭＵＳＴ複合信号の検出及び復号を支援する支援情報を含む。
【０１４１】
ステップ５０８で、スケジューリングされた、関連付けられた共有チャネル上のサブフレームデータ領域において、ＭＵＳＴ複合データ信号が送信される。
【０１４２】
図１０は、ＭＵＳＴ−ＵＥで実施される方法５５０であって、ＭＵＳＴ基地局（ｅＮＢ）における方法５００に対応し、ＭＵＳＴでのＭＵＳＴ動作を可能にするためのシグナリングアーキテクチャ及び動作手順を提供する方法５５０を図示する。
【０１４３】
ステップ５５１で、ネットワーク登録段階又はネットワークアタッチ段階において、ＭＵＳＴ−ＵＥは、自身のＭＵＳＴ受信機方式をサービシング基地局（ｅＮＢ）へ報告する。
【０１４４】
ステップ５５２において、そのサービシング基地局（ｅＮＢ）からＭＵＳＴ動作（すなわち、ＲＲＣ  ＭＵＳＴ設定／再設定）について有効なＲＲＣ設定メッセージを受信すると、ＭＵＳＴ−ＵＥは、ＤＣＩ−Ｍの検出に使用される基準ＤＣＩ−Ｍサイズ及び関連付けられた変動量を決定する。
【０１４５】
ステップ５５３において、有効なＲＲＣ  ＭＵＳＴ設定／再設定のアクティベーション時間以降、ＤＬサブフレームにおいて、ＲＲＣ設定されたＭＵＳＴ−ＵＥは、ＤＣＩ−Ｅのために、その予め設定された制御サーチスペースを監視する。
【０１４６】
ステップ５５４において、ＵＥを対象とするＤＣＩ−Ｅの検出に失敗すると、当該ＵＥは、現在のＤＬサブフレームにおいて、それに対してスケジューリングされたＤＬデータがないと判断し、ＤＬサブフレームをスキップするか又は無視する。
【０１４７】
ステップ５５５において、ＵＥを対象とするＤＣＩ−Ｅの検出に成功し、ＤＣＩ−Ｅの動的切替インジケータフィールドが「０」（すなわち、ＯＦＦ）に設定されると、ＲＲＣ設定されたＭＵＳＴ−ＵＥは、関連付けられた共有チャネル上のスケジューリングされたＤＬデータが非ＭＵＳＴ信号として送信され、それゆえ、関連付けられたＤＣＩ−Ｍのさらなる検出は必要ではないと決定する。ＲＲＣ設定されたＭＵＳＴ−ＵＥは、検出されたＤＣＩ−Ｅに含まれる制御情報を使用して、関連付けられた共有チャネルの受信及び復号をさらに実行することができる。
【０１４８】
ステップ５５６において、ＵＥを対象とするＤＣＩ−Ｅの検出に成功し、ＤＣＩ−Ｅの動的切替インジケータフィールドが「１」（すなわち、ＯＮ）に設定されると、ＲＲＣ設定されたＭＵＳＴ−ＵＥは、関連付けられた共有チャネル上のスケジューリングされたＤＬデータがＭＵＳＴ複合信号として送信され、それゆえ、関連付けられたＤＣＩ−Ｍのさらなる検出が必要であると決定する。検出されたＤＣＩ−Ｅの関連付けられたＤＣＩ−Ｍインデックスフィールドが復号され、それに基づいて送信ＤＣＩ−Ｍのサイズ変動値が決定される。
【０１４９】
ステップ５５７において、ＭＵＳＴ−ＵＥがブラインドデコーディングとともに設定又は再設定され、「０」（false）の値を有する場合、ＭＵＳＴ−ＵＥは、１回限りのＤＣＩ−Ｍ復号ために、ＲＲＣ  ＭＵＳＴ設定毎にＣＣＥを抽出することができる。
【０１５０】
ステップ５５８において、ＭＵＳＴ−ＵＥがブラインドデコーディングとともに設定又は再設定され、「１」（true）の値を有する場合、ＭＵＳＴ−ＵＥは、さらなるＤＣＩ−Ｍのブラインドデコーディングのために、ＲＲＣ  ＭＵＳＴ設定毎にＣＣＥを抽出することができ、ブラインドデコーディングの試行の回数はＲＲＣ−ＭＵＳＴ設定に基づいて決定される。
【０１５１】
ステップ５５９において、関連付けられたＤＣＩ−Ｍが検出されない場合、ＭＵＳＴ−ＵＥは、関連付けられた共有チャネルが復号可能ではないと判定され、それゆえ、そのサービシング基地局（ｅＮＢ）にフィードバックを与えてもよい。
【０１５２】
ステップ５６０において、１又は複数の関連付けられたＤＣＩ−Ｍが検出された場合、各検出されたＤＣＩ−Ｍに対して、ＭＵＳＴ−ＵＥは、ＭＵＳＴ複合信号の受信及び復号のための支援情報をさらに抽出し、関連付けられたＤＬ共有チャネル上でＭＵＳＴ複合信号を受信及び復号し、サービシング基地局（ｅＮＢ）にフィードバックを与える。
【０１５３】
上述した本発明の実施形態は、再設定又は追加的なシグナリングを伴わずに、サブフレーム単位で非ＭＵＳＴ信号の送受信とＭＵＳＴ複合信号の送受信との間の動的な切り替えを可能にする。
【０１５４】
本発明の特定の実施形態は、ＤＣＩフォーマットの設計において上位互換性又は柔軟性を可能にし、大きな仕様変更を伴わずに、ＭＵＳＴ送受信技術をさらに発展させ、その将来の適用を可能にする。
【０１５５】
本発明の実施形態は、効率的な制御リソースの利用を提供し、ＭＵＳＴ−ＵＥがＤＬ制御情報を検出する際に実行すべきブラインドデコーディングの量を減少させる。
【０１５６】
本発明の特定の実施形態は、第１  ＤＣＩ送信と同一のサーチスペース、又はそれが使用されていないときに他のＵＥのサーチスペースを共有する第２  ＤＣＩ（すなわち、ＤＣＩ−Ｍ）を可能にする。
【０１５７】
本発明の実施形態は、第２ダウンリンク制御情報の誤警報の検出を可能にする、効率的なエラー検出技術を提供する。
【０１５８】
本明細書及び、必要に応じて、特許請求の範囲において、単語は「含む（comprising）」及びそれの派生語「含む（comprises）」及び「含む（comprise）」は記載された構成要素の１つの以上を含むことを意味するが、さらなる整数の包含を排除するものではない。
【０１５９】
本明細書において、「一実施形態」又は「実施形態」は、実施形態に関連して記載される特定の特徴、構造、又は特性が本発明の少なくとも１つの実施形態に含まれることを意味する。したがって、本明細書の多様な部分で「一実施形態において」又は「実施形態において」という表現の出現は、必ずしもすべてが同じ実施形態を指しているわけではない。さらに、特定の特徴、構造、又は特性は、１又は複数の組み合わせで任意の適切な方法で組み合わされてもよい。
【０１６０】
法令に準拠して、本発明は、多かれ少なかれ特異的な構造又は方法の特徴に特有の言語で記載されている。ここに記載された手段は本発明を実施する上での好ましい形態を含むものであり、本発明が図示又は記載された特定の特徴に限定されないことは理解されなければならない。したがって、本発明は、（もしあれば）当業者により適切に解釈される添付の特許請求の適切な範囲内で任意の形態又は変形が主張される。
【０１６１】
本出願は、２０１６年７月２０日に出願されたオーストラリア仮特許出願第２０１６９０２８５０号を基礎とする優先権を主張し、その開示の全てをここに取り込む。
【符号の説明】
【０１６２】
２０３、２０５  ＤＣＩ−Ｍ
２１０、２３０、２５０、２７０  サーチスペース
２１２、２５２、２７３  ＣＣＥ
２２０  DCI-E-M-Offset（ＤＣＩ−Ｅ−Ｍ−オフセット）
２５１、２７１  CCE-Offset（ＣＣＥ−オフセット）
２５５、２７５  ＣＣＥ
【図１】
2019527510.tif 000005
【図２】
2019527510.tif 000006
【図３】
2019527510.tif 000007
【図４】
2019527510.tif 000008
【図５】
2019527510.tif 000009
【図６】
2019527510.tif 000010
【図７】
2019527510.tif 000011
【図８】
2019527510.tif 000012
【図９】
2019527510.tif 000013
【図１０】
2019527510.tif 000014
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
マルチユーザ重畳送信（ＭＵＳＴ：Multi-User Superposition Transmission）をサポートするアドバンストセルラ無線通信システムにおいて使用されるデータ通信方法であって、
ＭＵＳＴ−ＵＥから、ＭＵＳＴ受信機方式を受信することと、
前記受信されたＭＵＳＴ受信機方式及びＭＵＳＴ送信技術に従って、第２ダウンリンク制御情報の基準サイズを決定することと、
前記ＭＵＳＴ送信技術を含むＭＵＳＴ設定に応じて動作するように前記ＭＵＳＴ−ＵＥを設定することと、
前記ＭＵＳＴ−ＵＥに、
ＭＵＳＴが使用されることを示す指示を含む第１ダウンリンク制御情報、
前記決定された基準サイズに応じた支援情報を含む第２ダウンリンク制御情報、及び
前記ＭＵＳＴ送信技術に従って、関連付けけられたＤＬ共有チャネル上でＭＵＳＴ複合データ信号を送信することと、を含む方法。
【請求項２】
ＭＵＳＴ送信が使用されることを決定することをさらに含み、前記第２ダウンリンク制御情報及び前記ＭＵＳＴ複合データ信号は、前記決定に応答して送信される、請求項１に記載の方法。
【請求項３】
前記第１ダウンリンク制御情報は、サブフレーム単位で非ＭＵＳＴ信号送受信とＭＵＳＴ複合信号送受信との間の動的な切り替えを可能にする、請求項１に記載の方法。
【請求項４】
前記ＭＵＳＴ設定は、第２ダウンリンク制御情報のためのサーチスペーススケジューリング情報を含む、請求項１に記載の方法。
【請求項５】
前記ＭＵＳＴ設定は、アクティベーション時間に関連付けられ、前記第１ダウンリンク制御情報、前記第２ダウンリンク制御情報、及び前記ＭＵＳＴ複合データ信号は、前記アクティベーション時間以降に送信される、請求項１に記載の方法。
【請求項６】
前記ＭＵＳＴ設定は、無線リソース制御（ＲＲＣ：Radio Resource Control）シグナリングを使用して提供される、請求項１に記載の方法。
【請求項７】
前記ＭＵＳＴ設定は、前記ＭＵＳＴ−ＵＥが第２ダウンリンク制御情報を検索する可能性がある、予めスケジューリングされた制御サーチスペースの開始を前記ＭＵＳＴ−ＵＥに通知するために、オフセット情報要素（ＩＥ：information element）を含む、請求項１に記載の方法。
【請求項８】
前記ＭＵＳＴ設定は、前記ＭＵＳＴ−ＵＥが前記第２ダウンリンク制御情報の復号のためのＣＣＥを抽出することができる開始ＣＣＥを前記ＭＵＳＴ−ＵＥに通知するために、制御チャネルエレメントオフセットＩＥを含む、請求項１に記載の方法。
【請求項９】
マルチユーザ重畳送信（ＭＵＳＴ：Multi-User Superposition Transmission）をサポートするアドバンストセルラ無線通信システムにおいて使用されるデータ通信方法であって、
ＭＵＳＴ基地局にＭＵＳＴ受信機方式を報告することと、
前記ＭＵＳＴ基地局からＭＵＳＴ送信技術を含むＭＵＳＴ設定データを受信することと、
前記ＭＵＳＴ送信技術及びＭＵＳＴ受信機方式に従って、第２ダウンリンク制御情報の基準サイズを決定することと、
前記ＭＵＳＴ基地局から、
ＭＵＳＴが使用されることを示す指示を含む第１ダウンリンク制御情報、
前記決定された基準サイズに応じた支援情報を含む第２ダウンリンク制御情報、及び
前記ＭＵＳＴ送信技術に従って、関連付けけられたＤＬ共有チャネル上でＭＵＳＴ複合データ信号を受信することと、を含むデータ通信方法。
【請求項１０】
アドバンスト無線通信システムであって、
少なくとも１つのＭＵＳＴ−ＵＥを含む複数のＵＥと、
アドバンスト基地局と、を備え、
前記アドバンスト基地局は、
前記ＭＵＳＴ−ＵＥから、ＭＵＳＴ受信機方式を受信し、
前記受信されたＭＵＳＴ受信機方式及びＭＵＳＴ送信技術に従って、第２ダウンリンク制御情報の基準サイズを決定し、
前記ＭＵＳＴ送信技術を含むＭＵＳＴ設定に応じて動作するように前記ＭＵＳＴ−ＵＥを設定し、
前記ＭＵＳＴ−ＵＥに、
ＭＵＳＴが使用されることを示す指示を含む第１ダウンリンク制御情報、
前記決定された基準サイズに応じた支援情報を含む第２ダウンリンク制御情報、及び
前記ＭＵＳＴ送信技術に従って、関連付けけられたＤＬ共有チャネル上でＭＵＳＴ複合データ信号を送信するように構成されている、無線通信システム。
【国際調査報告】
2019527510.tif 000015